(57)【要約】      （修正有）【課題】原子力発電所が地震、及び津波などの天災により破損、及び破壊されて原子力発電所が制御できなくなった場合の原子炉の冷却、及び放射能が空気中に拡散されるのを防止する。【解決手段】長方形状をした鉄製の密封構造をしたブロックである容器に、１個、１個の密封構造をしたブロックである容器にバルブを取り付けて、容器であるブロックの内部に水溶液を注入することが出来る構造をしたブロックを使用して、原子力発電所を中心として円筒形状、４角形状、長方形状、又はその他の形状(以下、略して、円筒形状とする)の堤防を構築して、原子力発電所の高さ以上の高さまで水溶液を満タンに入れたブロックを積み立てて構築した堤防の内部に、水溶液を注入して原子力発電所を完全に水没させて原子炉の冷却、及び放射能の拡散を遮断する原子力発電所を完全に水没させる。【選択図】図４
2012220350.tif 000002
【特許請求の範囲】
【請求項１】
長方形状をした鉄製のブロックである容器を使用して、原子力発電所を中心として円筒形状の堤防を構築して原子力発電所の高さ以上の高さまで組み立てて構築した堤防の内部に、水溶液を注入して原子力発電所を完全に水没をさせて原子炉の冷却、及び放射能の拡散を遮断する原子力発電所を水没させることを特徴とした原子力発電所を完全に水没させる方法。
【請求項２】
長方形状をした鉄製の密封構造をしたブロックである容器に、１個、１個の密封構造をしたブロックである容器にバルブを取り付けて、容器であるブロックの内部に水溶液を注入することが出来る構造をしたブロックを使用して、原子力発電所を中心として円筒形状の堤防を構築して、原子力発電所の高さ以上の高さまで水溶液を満タンに入れたブロックを積み立てて構築した堤防の内部に、水溶液を注入して原子力発電所を完全に水没させて原子炉の冷却、及び放射能の拡散を遮断する原子力発電所を完全に水没させることを特徴とした原子力発電所を完全に水没させる方法。
【請求項３】
長方形状をした鉄製の密封構造をしたブロックである容器を使用して、原子力発電所を中心として円筒形状、４角形状、長方形状、又はその他の形状(以下、略して、円筒形状とする)の堤防を２重構造に形成して、原子力発電所を中心として内側の堤防を構成しているブロックである容器の外側の外周に、さらに、ブロックである容器を使用して原子力発電所の高さ以上の高さまで組み立てて構築した堤防の内部に、水溶液を注入して原子力発電所を完全に水没させて原子炉の冷却、及び放射能の拡散を遮断する原子力発電所を水没させることを特徴とした原子力発電所を完全に水没させる方法。
【請求項４】
長方形状をした鉄製の密封構造をしたブロックである容器を使用して、原子力発電所を中心として円筒形状の堤防を２重構造に構築して、原子力発電所の高さ以上の高さ以上の高さまで組み立てて構築した２重構造の円筒形状をした内側の堤防と、外側の円筒形状をした外周の堤防との中間の空間層に、水漏れ防止の目的のためにパッキンとなりえるゴム状物質、又は水漏れ防止のパッキンとなりえる水ガラス、又は水漏れ防止のパッキンとなりえる液状の樹脂、又は水漏れ防止のパッキンとなりえるセメント(以下、略して、セメントとする)を注入して構築した堤防の内部に、水溶液を注入して原子力発電所を完全に水没させて原子炉を完全に水没させることを特徴とした原子力発電所を完全に水没させる方法。
【発明の詳細な説明】
【技術分野】
【０００１】
本発明は、原子力発電所が崩壊をして原子炉内部の核分裂を制御することが出来ない場合の原子炉の冷却、及び原子炉から漏れる放射線を遮断することを目的とする。
【背景技術】
【０００２】
従来、原子力発電所が崩壊をして原子炉が亀裂を起こして、人体に与える放射能が強力なときには、人間が原子炉の近くに行くことも出来ないのが現状である。その理由は被爆をするからである。
【発明の概要】
【発明が解決しようとする課題】
【０００３】
原子力発電所の外周に原子力発電所を中心として、原子力発電所の高さと同じ高さ以上の堤防を円筒形状、４角形状、長方形状、又はその他の形状(以下、略して、円筒形状とする)に構築して、原子力発電所の高さ以上の堤防を構築して、原子力発電所を中心として構築した円筒形状をした堤防の内部に水溶液、真水、又は海水(以下、略して、水溶液とする)を注水して、原子力発電所が水没する高さより高い堤防まで注水をした水溶液にて原子力発電所全体を完全に水没させる。原子力発電所を水没させることにより、原子炉内部の冷却、及び空気中に撒き散らしている放射能を堤防の内部に溜めている水溶液にて完全に遮断をする。
【課題を解決するための手段】
【０００４】
前記目的を達成するために、本発明の構成は、極く短期間にて原子力発電所を中心として円筒形状に堤防を構築するために、例えば、長方形状、又は四角形状（以下、略して、長方形状とする）をした鉄製の容器を製作して、長方形状をした鉄製の密封容器の外部にバルブを取り付けて、バルブを取り付けた容器の内部に水溶液を注水することが出来る構造をした容器（以下、略して、ブロックとする）を、例えば、数万個を製作して原子力発電所を中心として円筒形状に組み立てて堤防とする。この堤防の内部に水溶液を注水して原子力発電所を完全に水没させる。
【発明の効果】
【０００５】
例えば、現在、福島原子力発電所にて起こっている、下記の(１)から(４)の問題点を解決して、福島原子力発電所から排泄される放射能に汚染された水溶液の放射能の濃度を希釈することを目的とした、福島原子力発電所を完全に水没させて封鎖をすることが出来る。
【０００６】
（１）圧力容器内部の核燃料の冷却をすることが出来る。
【０００７】
（２）放射能に汚染された水溶液の濃度を希釈して、人体に影響を与えない放射能の濃度とすることが出来る。例えば、現在、福島原子力発電所の内部に高濃度の放射能に汚染された水溶液が１５，０００トンあるとするならば、福島原子力発電所の１号機から４号機を中心として、半径が１，０００ｍの円筒形状をした人工の人造湖を形成した場合、堤防の円周は２πｒなので、２×１，０００ｍ×３.１４＝６,２８０ｍ(６.２８ｋｍ)となる。円筒形状の高さを５０ｍとすると水溶液の容積はπr2×高さなので１,０００ｍ２×３.１４×５０ｍ＝１.５７億ｍ３＝１.５７億トンとなる。これにより、高濃度の放射能に汚染された１５,０００トンの水溶液の１０,０００倍の１,５７億トンに希釈することになり、人体に影響を与えない放射能の濃度とすることが出来る。
【０００８】
（３）放射能に汚染された水溶液を閉じ込めて、海水中に垂れ流さないことが出来る。
【０００９】
（４）空気中に放射能を拡散させないことが出来る。
【００１０】
また、鉄製の長方形状をしたブロックである、バルブを各々の容器に取り付けている密封容器の内部に水溶液を満タンに入れることにより、このブロックは水圧に耐える構造となる。このブロックを使用して、原子力発電所を中心として堤防を構築するので、高い水圧に耐える構造となる。また、このブロックは日本を中心として、韓国、中国、台湾、ベトナム、ロシア、シンガポールなどの近隣諸国の造船所に製作の協力をしていただくのであれば、極く短期間にて数万個の製作は容易である。
【図面の簡単な説明】
【００１１】
【図１】原子力発電所Ａを中心として鉄製の密封容器であるブロックＢの内部に水溶液を入れたブロックを使用して、原子力発電所を中心として原子力発電所の外周に円筒形状をした堤防Ｃを構築している平面図の概略図を、図１に示している。符号の説明、図中Ａは原子力発電所で、図中Ｂは鉄製の密封容器であるブロックで、図中Ｃは鉄製の密封容器であるブロックＢを使用して、原子力発電所Ａを中心として円筒形状の堤防を構築している平面図を、図１に示している。
【図２】原子力発電所Ａを中心として鉄製の密封容器であるブロックＢを使用して、原子力発電所Ａを中心として原子力発電所Ａの外周に円筒形状をした堤防Ｃを、原子力発電所の高さ以上の高さまで円筒形状の堤防Ｃを構築して、原子力発電所Ａを中心とした堤防Ｃの内部に水溶液を注水して原子力発電所Ａを完全に水没させている概略図の縦断面図を、図２に示している。
【図３】原子力発電所Ａを中心として鉄製の密封容器であるブロックＢ、及びＤを使用して内側の堤防Ｃと、外側の堤防Ｅを形成して、その中間の空間層にセメントＦを注入して水漏れを防止することを目的とした概略図の平面図を、図３に示している。
【図４】原子力発電所Ａを中心として内側の堤防Ｃと、その外側の堤防Ｅの２重構造をした堤防を形成して、その中間の空間層にセメントＦを注入している概略図の縦断面図を、図４に示している。
【発明を実施するための形態】
【実施例１】
【００１２】
鉄製の長方形状のブロックである容器を原子力発電所を中心として組み立てて、ブロックとブロックを溶接して接合するか、又はその他の手段を使用してブロックとブロックとを接合して、原子力発電所の高さ以上の円筒形状の堤防を原子力発電所を中心として構築して、それぞれの鉄製の長方形状のブロックである容器に取り付けているバルブから密封容器であるブロックの内部に水溶液を満タンに注水して構築した、原子力発電所を中心として構築した円筒形状をした堤防の内部に水溶液を注水して原子力発電所を完全に水没させて原子炉の冷却、及び放射能の拡散を完全に遮断する構成とする。
【実施例２】
【００１３】
長方形状をした鉄製の密封構造をしたブロックである容器を使用して、原子力発電所を中心として円筒形状の堤防を２重構造に構築して、原子力発電所の高さ以上の高さまで組み立てて構築した２重構造の円筒形状をした内側の堤防と、外側の円筒形状をした外周の堤防との中間の空間層に、水漏れ防止の目的のためにパッキンとなりえるゴム状物質、又は水漏れ防止のパッキンとなりえる水ガラス、又は水漏れ防止のパッキンとなりえる液状の樹脂、又は水漏れ防止のパッキンとなりえるセメント(以下、略して、セメントとする)を注入して構築した堤防の内部に、水溶液を注入して原子力発電所を完全に水没させて原子炉の冷却、及び放射能の拡散を遮断する原子力発電所を水没させる構成とする。
【産業上の利用可能性】
【００１４】
本発明は、原子力発電所が地震、及び津波などの天災により破損、及び破壊されて原子力発電所が制御できない場合の、原子炉を冷却、及び放射能が空気中に拡散されるのを、極く短期間にて完全に遮断して防止をすることができる。
【符号の説明】
【００１５】
Ａ      原子力発電所
Ｂ      鉄製の密封容器であるブロック
Ｃ      内側の堤防
Ｄ      鉄製の密封容器であるブロック
Ｅ      外側の堤防
Ｆ      セメント
Ｇ      地面
【図１】
2012220350.tif 000003
【図２】
2012220350.tif 000004
【図３】
2012220350.tif 000005
【図４】
2012220350.tif 000006